(57)【要約】【課題】リピータ機器に接続されたＣＥＣ非対応機器に対しても表示装置側から入力切換を行えるようにする。【解決手段】ＴＶ１はＡＶアンプ２とＨＤＭＩ接続される。ＡＶアンプ２は、ＨＤＭＩ入力端子に映像機器３，４が接続されたことを検出する映像機器検出部２０２と、映像機器検出部２０２による検出結果に基づいて前記ＨＤＭＩ入力端子の接続状態をＴＶ１に通知するＣＥＣＩ／Ｆ２０１とを備える。ＴＶ１は、ＡＶアンプ２からの通知に基づいて映像機器３，４が接続されたＨＤＭＩ入力を含むＯＳＤメニューを生成・表示するＯＳＤ信号生成部と、ＯＳＤメニューに対するユーザ選択（ＣＥＣ非対応の映像機器４）に応じて映像機器４が接続されたＨＤＭＩ入力への切り換えをＡＶアンプ２に要求するＣＥＣＩ／Ｆ１２２とを備える。【選択図】図２
2009141537.tif 000002
【特許請求の範囲】
【請求項１】
表示装置とリピータ機器とがＨＤＭＩ接続された表示システムであって、
前記リピータ機器は、該リピータ機器が備えるＨＤＭＩ入力端子に映像出力機器が接続されたことを検出する映像出力機器検出手段と、該映像出力機器検出手段による検出結果に基づいて前記ＨＤＭＩ入力端子の接続状態を前記表示装置に通知する接続状態通知手段とを備え、
前記表示装置は、前記接続状態通知手段からの通知に基づいて前記映像出力機器が接続されたＨＤＭＩ入力を含むＯＳＤメニューを生成・表示するＯＳＤメニュー生成手段と、該ＯＳＤメニューに対するユーザ選択に応じて前記映像出力機器が接続されたＨＤＭＩ入力への切り換えを前記リピータ機器に要求する入力切換要求手段とを備えていることを特徴とする表示システム。
【請求項２】
請求項１に記載の表示システムにおいて、前記映像出力機器検出手段は、前記ＨＤＭＩ入力端子を介して映像出力機器から所定の信号を受信した場合、前記ＨＤＭＩ入力端子に前記映像出力機器が接続されていると判定することを特徴とする表示システム。
【請求項３】
請求項１又は２に記載の表示システムにおいて、前記接続状態通知手段は、前記映像出力機器がＣＥＣ非対応機器である場合、前記ＨＤＭＩ入力端子に前記映像出力機器が接続されたことを通知すると共に、前記映像出力機器の接続位置を示す物理アドレスを通知するためのＣＥＣメッセージを前記表示装置に送信することを特徴とする表示システム。
【請求項４】
請求項１乃至３のいずれか１項に記載の表示システムにおいて、前記接続状態通知手段は、前記表示装置から接続状態の通知要求があったときに、該通知要求に応じて、前記ＨＤＭＩ入力端子の接続状態を前記表示装置に通知することを特徴とする表示システム。
【請求項５】
請求項１乃至４のいずれか１項に記載の表示システムにおいて、前記ＯＳＤメニュー生成手段は、前記ＯＳＤメニューにおいて、前記リピータ機器のＨＤＭＩ入力の中で映像出力機器が接続されたＨＤＭＩ入力のみを選択可能としたことを特徴とする表示システム。
【請求項６】
請求項５に記載の表示システムにおいて、前記ＯＳＤメニュー生成手段は、前記リピータ機器のＨＤＭＩ入力の中で映像出力機器が接続されたＨＤＭＩ入力以外の他のＨＤＭＩ入力を、前記ＯＳＤメニューに表示させないことを特徴とする表示システム。
【請求項７】
請求項５に記載の表示システムにおいて、前記ＯＳＤメニュー生成手段は、前記リピータ機器のＨＤＭＩ入力の中で映像出力機器が接続されたＨＤＭＩ入力以外の他のＨＤＭＩ入力を、グレーアウトして前記ＯＳＤメニューを表示することを特徴とする表示システム。
【請求項８】
請求項５乃至７のいずれか１項に記載の表示システムにおいて、前記接続状態通知手段は、映像出力機器が接続されたＨＤＭＩ入力端子に予め割り当てられた入力端子名を前記表示装置に通知し、
前記ＯＳＤメニュー生成手段は、映像出力機器が接続された前記リピータ機器のＨＤＭＩ入力として、該リピータ機器から通知された入力端子名を前記ＯＳＤメニューに表示させることを特徴とする表示システム。
【請求項９】
請求項１乃至８のいずれか１項に記載の表示システムにおいて、前記接続状態通知手段は、前記表示装置に前記ＨＤＭＩ入力端子の接続状態を通知するためのＣＥＣメッセージを送信するＣＥＣインタフェースであることを特徴とする表示システム。
【請求項１０】
請求項１乃至８のいずれか１項に記載の表示システムにおいて、前記入力切換要求手段は、前記リピータ機器に入力切換を要求するためのＣＥＣメッセージを送信するＣＥＣインタフェースであることを特徴とする表示システム。
【請求項１１】
請求項１乃至１０のいずれか１項に記載の表示システムを構成する表示装置。
【請求項１２】
請求項１乃至１０のいずれか１項に記載の表示システムを構成するリピータ機器。
【発明の詳細な説明】
【技術分野】
【０００１】
本発明は、表示システム、表示装置、及びリピータ機器に関し、より詳細には、表示装置とリピータ機器とがＨＤＭＩ（High Definition Multimedia Interface）接続された表示システム、該表示システムを構成する表示装置、及びリピータ機器に関する。
【背景技術】
【０００２】
従来、テレビには外部映像機器を接続するための外部入力端子が備えられているが、近年ではビデオデッキやテレビゲーム機、ビデオカメラなど多種多様の映像機器がテレビとの接続を考慮して作られているため、テレビ入力端子の数や種類は増加の一途を辿っている。
【０００３】
また、目的に応じてＡＶアンプのような音響機器やＡＶセレクタのような入力スイッチャをテレビに接続するユーザも多数存在する。これらの接続を行った場合、ユーザはテレビの入力切換に加え、ＡＶアンプやＡＶセレクタの入力切換の操作を行わないと、末端に接続された映像機器の映像をテレビに表示することができない。
【０００４】
例えば、図１０に示すように、テレビジョン装置（以下、テレビ）１００にＡＶアンプ２００を介して２つの映像機器３００（映像機器＃１，＃２）を接続し、映像機器＃２の映像を表示させたい場合、ユーザはまずテレビ１００の入力３に切り換え、次にＡＶアンプ２００の入力Ｂに切り換える必要がある。この際、一箇所でも入力切換を間違えていると映像を表示することができない。
【０００５】
このような場合におけるユーザの負担を少しでも軽減するために、最近ではＨＤＭＩ接続した機器をＣＥＣ（Consumer Electronics Control）と呼ばれる通信ラインを利用してテレビから遠隔制御することで、自動的に接続機器の入力切換や再生などを行えるようにした商品が存在する。
【０００６】
このＣＥＣは、ＨＤＭＩで規定される機器制御信号であり、テレビと外部機器との連携操作を可能とするものである。ＨＤＭＩに関する規格は規格化団体であるＨＤＭＩ  Ｌｉｃｅｎｓｉｎｇ，ＬＬＣにより２００２年１２月に基本仕様が策定され（ＨＤＭＩ規格Ｖｅｒ１．０）、２００５年１２月（ＨＤＭＩ規格バージョン１．２ａ：非特許文献１参照）においてＡＶ機器間のコントロールを行うための制御プロトコルとして上記のＣＥＣの規定が追加された。
【０００７】
なお、ＣＥＣに関する用語は、ＨＤＭＩ規格の「2.2 Glossary of Terms」,「CEC 2.2 Glossary of Terms」他に定義されており、ＨＤＭＩ入力端子を持ちＡＶストリームを表示出力するものはシンク（Sink）機器と、ＨＤＭＩ出力端子を持ちＡＶストリームを出力するものはソース（Source）機器と、ＨＤＭＩ入力端子と出力端子を持ちＡＶストリームの入出力（転送）を行うものはリピータ（Repeater）機器と定義されている。
【０００８】
また、ＨＤＭＩ規格ではＣＥＣを使った機器間制御が定義されている。このＣＥＣによれば、ＨＤＭＩネットワーク上に存在する各機器に割り当てられる固有の物理アドレスと論理アドレスに基づいて様々な制御を可能としている。例えば、ユーザがテレビでデジタル放送を視聴しているときに、ＨＤＭＩで接続されたＤＶＤプレーヤを再生すると、テレビは自動的にＤＶＤプレーヤの接続された入力に切り換える。また、このＤＶＤプレーヤで表示しているメニュー操作や、電源のオン／オフなどをテレビのリモコンから操作することができる。
【０００９】
図１１は、接続機器の一覧あるいは入力切換メニューなどのＯＳＤメニューの表示例を示す図である。図１２は、ＣＥＣ対応のテレビと外部機器とをＨＤＭＩ接続した状態を示す図である。
ＣＥＣ対応テレビは、ＣＥＣ対応機器が接続されると、物理アドレスと論理アドレスにより、どういった種類（レコーダ，ＳＴＢなど）の機器がどこに接続されているか接続の末端まで把握することができる。このため、図１２に示すように、テレビ１００の入力３に映像機器＃１を接続し、入力４にリピータ機器としてＡＶアンプ２００を接続し、さらにＡＶアンプ２００の入力Ａに映像機器＃２を接続した場合、図１１（Ａ）に示すようにＨＤＭＩ接続機器の一覧を表示したり、図１１（Ｂ）に示すように入力切換メニュー上に接続機器の名称を表示することができる。ユーザはＡＶアンプ２００の入力を特に意識する必要がなく、テレビ１００からＡＶアンプ２００に接続された映像機器＃２に入力を切り換えることができる。
【００１０】
上記のようなＣＥＣラインを用いて制御する技術に関して、例えば、特許文献１には、テレビとＨＤＭＩ接続された機器をＣＥＣラインの通信により制御する映像受信システムが記載されている。これによれば、テレビにＳＴＢ等の複数の機器を接続した環境において、テレビのリモコンのアップダウン選局ボタンを押下することのみで、接続された全ての機器のチャンネルを選局することが可能となる。
【非特許文献１】High-Definition Multimedia Interface Specification Version 1.2a   Supplement 1 Consumer Electronics Control(CEC),December 14 2005
【特許文献１】特開２００４−３０４２２０号公報
【発明の開示】
【発明が解決しようとする課題】
【００１１】
しかしながら、前述の図１２に示した接続構成において、テレビ１００の入力４に接続されたＡＶアンプ２００が持つ入力Ａ，Ｂにそれぞれ映像機器が接続されている場合であっても、図１１（Ｂ）に示すように、テレビ１００の入力切換メニューには、ＡＶアンプ２００が現在選択している入力に応じた映像機器（ここでは入力Ａの映像機器＃２）しか表示することができなかった。この場合、複数の映像機器のうち、ＡＶアンプ２００を介したテレビ１００への入力を切り換える場合には、ＡＶアンプ２００を操作してＡＶアンプ２００の入力を切り換える必要がある。
【００１２】
さらに、ＨＤＭＩ規格バージョン１．２ａより前のバージョンの機器はＣＥＣに対応していないため、全ての機器がＣＥＣに対応しているとは限らない。このため、ＣＥＣ非対応機器を操作する場合、ユーザは機器の接続状態を把握し、必要に応じて入力を切り換える必要がある。
【００１３】
前述の図１２に示した接続構成において、ＡＶアンプ２００の入力ＢにさらにＣＥＣ非対応の映像機器４００（映像機器＃３）を接続した状態を図１３に示す。この場合、テレビ１００はＣＥＣ非対応の映像機器＃３の存在を検出することができないため、入力切換メニューに表示させることができず、従来と同様に、テレビ１００の入力、ＡＶアンプ２００の入力をそれぞれ切り換える必要がある。
また、上記特許文献１に記載の発明も、あくまでＣＥＣ対応機器に対してのみ入力を切り換えて操作可能とするものであり、リピータ機器にＣＥＣ非対応機器を接続した場合、上記と同様に、テレビの入力、リピータ機器の入力をそれぞれ切り換える必要がある。
【００１４】
本発明は、上述のごとき実情に鑑みてなされたものであり、リピータ機器に接続されたＣＥＣ非対応機器に対しても表示装置側から入力切換を行えるようにすること、
さらに、リピータ機器のＨＤＭＩ入力の中で映像出力機器が接続されていないＨＤＭＩ入力をユーザが誤って選択できないようにすること、を目的とする。
【課題を解決するための手段】
【００１５】
上記課題を解決するために、本発明の第１の技術手段は、表示装置とリピータ機器とがＨＤＭＩ接続された表示システムであって、前記リピータ機器は、該リピータ機器が備えるＨＤＭＩ入力端子に映像出力機器が接続されたことを検出する映像出力機器検出手段と、該映像出力機器検出手段による検出結果に基づいて前記ＨＤＭＩ入力端子の接続状態を前記表示装置に通知する接続状態通知手段とを備え、前記表示装置は、前記接続状態通知手段からの通知に基づいて前記映像出力機器が接続されたＨＤＭＩ入力を含むＯＳＤメニューを生成・表示するＯＳＤメニュー生成手段と、該ＯＳＤメニューに対するユーザ選択に応じて前記映像出力機器が接続されたＨＤＭＩ入力への切り換えを前記リピータ機器に要求する入力切換要求手段とを備えていることを特徴としたものである。
【００１６】
第２の技術手段は、第１の技術手段において、前記映像出力機器検出手段は、前記ＨＤＭＩ入力端子を介して映像出力機器から所定の信号を受信した場合、前記ＨＤＭＩ入力端子に前記映像出力機器が接続されていると判定することを特徴としたものである。
【００１７】
第３の技術手段は、第１又は第２の技術手段において、前記接続状態通知手段は、前記映像出力機器がＣＥＣ非対応機器である場合、前記ＨＤＭＩ入力端子に前記映像出力機器が接続されたことを通知すると共に、前記映像出力機器の接続位置を示す物理アドレスを通知するためのＣＥＣメッセージを前記表示装置に送信することを特徴としたものである。
【００１８】
第４の技術手段は、第１乃至第３のいずれか１の技術手段において、前記接続状態通知手段は、前記表示装置から接続状態の通知要求があったときに、該通知要求に応じて、前記ＨＤＭＩ入力端子の接続状態を前記表示装置に通知することを特徴としたものである。
【００１９】
第５の技術手段は、第１乃至第４のいずれか１の技術手段において、前記ＯＳＤメニュー生成手段は、前記ＯＳＤメニューにおいて、前記リピータ機器のＨＤＭＩ入力の中で映像出力機器が接続されたＨＤＭＩ入力のみを選択可能としたことを特徴としたものである。
【００２０】
第６の技術手段は、第５の技術手段において、前記ＯＳＤメニュー生成手段は、前記リピータ機器のＨＤＭＩ入力の中で映像出力機器が接続されたＨＤＭＩ入力以外の他のＨＤＭＩ入力を、前記ＯＳＤメニューに表示させないことを特徴としたものである。
【００２１】
第７の技術手段は、第５の技術手段において、前記ＯＳＤメニュー生成手段は、前記リピータ機器のＨＤＭＩ入力の中で映像出力機器が接続されたＨＤＭＩ入力以外の他のＨＤＭＩ入力を、グレーアウトして前記ＯＳＤメニューを表示することを特徴としたものである。
【００２２】
第８の技術手段は、第５乃至第７のいずれか１の技術手段において、前記接続状態通知手段は、映像出力機器が接続されたＨＤＭＩ入力端子に予め割り当てられた入力端子名を前記表示装置に通知し、前記ＯＳＤメニュー生成手段は、映像出力機器が接続された前記リピータ機器のＨＤＭＩ入力として、該リピータ機器から通知された入力端子名を前記ＯＳＤメニューに表示させることを特徴としたものである。
【００２３】
第９の技術手段は、第１乃至第８のいずれか１の技術手段において、前記接続状態通知手段は、前記表示装置に前記ＨＤＭＩ入力端子の接続状態を通知するためのＣＥＣメッセージを送信するＣＥＣインタフェースであることを特徴としたものである。
【００２４】
第１０の技術手段は、第１乃至第８のいずれか１の技術手段において、前記入力切換要求手段は、前記リピータ機器に入力切換を要求するためのＣＥＣメッセージを送信するＣＥＣインタフェースであることを特徴としたものである。
【００２５】
第１１の技術手段は、第１乃至第１０のいずれか１の技術手段における表示システムを構成する表示装置である。
【００２６】
第１２の技術手段は、第１乃至第１０のいずれか１の技術手段における表示システムを構成するリピータ機器である。
【発明の効果】
【００２７】
本発明によれば、リピータ機器が備えるＨＤＭＩ入力端子の接続状態をリピータ機器から表示装置に通知することができるため、リピータ機器に接続されたＣＥＣ非対応機器に対しても表示装置側から入力切換を行うことができる。
さらに、リピータ機器のＨＤＭＩ入力の中で映像出力機器が接続されたＨＤＭＩ入力のみを選択可能としたため、未接続のＨＤＭＩ入力をユーザが誤って選択することがなく、ユーザの入力切換操作の負担を軽減することができる。
【発明を実施するための最良の形態】
【００２８】
以下、添付図面を参照しながら、本発明の表示システム、該表示システムを構成する表示装置、及びリピータ機器に係る好適な実施の形態について説明する。
【００２９】
図１は、本発明の一実施形態に係る表示装置の構成例を示すブロック図で、表示装置の一実施形態であるテレビジョン装置の構成例を示すものである。テレビジョン装置１において、チューナ部１０１は、アンテナＡＴから受信した放送信号の中からユーザが指定したチャンネルの選局処理を行う。ＴＶ信号処理部１０２は、チューナ部１０１で選局されたＴＶ信号を処理し、映像信号及び音声信号を合成処理部１０３に出力する。合成処理部１０３は、ＴＶ信号処理部１０２からの映像信号による映像画面に対して、図示しないデータ放送処理部やブラウザ処理部からの画像信号、及びＯＳＤ信号生成部１０７からのＯＳＤ信号が入力され、これらを合成処理して出力処理部１０４に出力する。
【００３０】
出力処理部１０４は、合成処理部１０３からの映像信号を各種の設定パラメータに基づいてコントラスト、輝度、彩度などの補正処理を行って表示部１０６に出力すると共に、音声信号の音量調整、音質調整及び増幅を行い、スピーカなどの音声出力部１０５に出力する。
【００３１】
制御部１０８は、各種演算を行うＣＰＵ１０８ａと、各種処理プログラムが格納されているＲＯＭ１０８ｂと、ワークメモリとしてのＲＡＭ１０８ｃと、各種設定用のデータを保存する不揮発性メモリ１０８ｄ等を備えて構成され、チューナ部１０１のチャンネル切り換えをはじめＴＶ信号処理１０２、合成処理部１０３、出力処理部１０４、及びＯＳＤ信号生成部１０７に対して制御を行う。また制御部１０８には内蔵のＨＤＤ１１９が接続される。そして制御部１０８の不揮発性メモリ１０８ｄには、ＨＤＭＩ対応でＣＥＣ非対応の外部機器の接続状態や設定状態に関する情報を保存しておく。
【００３２】
また、制御部１０８は、本体に設けられている操作入力部１０９とリモコンＩ／Ｆ１１０が接続されており、リモコン（リモートコントローラ）１１２からの操作信号を受信する受光部１１１がリモコンＩ／Ｆ１１０に接続されている。操作入力部１０９は、キーやボタン、タッチパネルなどが適用される。これらリモコン１１２及び操作入力部１０９は、ユーザによる操作に応じて操作信号を制御部１０８に対して出力する。
また、制御部１０８には通信Ｉ／Ｆ１１３が接続されており、ユーザ操作によりブラウザ（図示せず）が起動されると通信Ｉ／Ｆ１１３を介してインターネット１１４に接続される。そして、例えば予め登録されているＵＲＬのウェブサーバ１１５が提供するコンテンツ情報を取得可能となる。
【００３３】
また、制御部１０８には、カードＩ／Ｆ１１６を介してカードホルダ１１７が接続されている。カードホルダ１１７に装着されたメモリカード１１８には、チューナ部１０１で受信した放送番組やインターネットからの各種の映像音声データを保存することができる。
【００３４】
さらに、制御部１０８には、ＨＤＭＩレシーバ１２０と、フロントマイコン１２１を介してＣＥＣＩ／Ｆ１２２とが接続され、ＨＤＭＩレシーバ１２０及びＣＥＣＩ／Ｆ１２２の他端は、ＨＤＭＩコネクタ（ＨＤＭＩ入力端子）１２３に接続される。
【００３５】
テレビジョン装置１と図示しない外部機器とは、ＨＤＭＩケーブル１２６にて接続可能となっている。ＨＤＭＩケーブル１２６は、デジタル信号である映像・音声信号のストリームを差動方式で伝送するためのＴＭＤＳ（Transition Minimized Differential Signaling）ライン１２４と、機器間で共通の制御信号（ＣＥＣメッセージ）を伝送する双方向バスであるＣＥＣライン１２５とを有している。テレビジョン装置１では、ＨＤＭＩケーブル１２６により接続された外部機器から送信されたストリームをＨＤＭＩレシーバ１２０で受信して合成処理部１０３に入力する。そして、合成処理部１０３では、ＴＶ信号処理部１０２からの映像・音声信号とＨＤＭＩレシーバ１２０からの映像・音声信号とを適宜切り換え、必要に応じてＯＳＤ信号を合成して出力処理部１０４に出力する。
【００３６】
フロントマイコン１２１は、ＣＥＣコントローラを含み、ＣＥＣライン１２５からＣＥＣＩ／Ｆ１２２を介して転送されてくるＣＥＣメッセージを監視する。テレビジョン装置１のスタンバイモードなどにおいて制御部１０８がダウンしているときでもフロントマイコン１２１は動作するため、ＣＥＣメッセージの送受信を可能な状態に維持される。
【００３７】
ＨＤＭＩ・ＣＥＣ対応の図示しない外部機器は、ＴＭＤＳライン１２４を介してストリームを送信するためのＨＤＭＩトランスミッタと、ＣＥＣライン１２５を介してＣＥＣメッセージを送受信するためのＣＥＣＩ／Ｆとを有している。一方、ＨＤＭＩ対応でＣＥＣ非対応の外部機器の場合、ＨＤＭＩケーブルの仕様としては同様であるが、このときの外部機器は、ＣＥＣライン１２５を介して送信されてくるＣＥＣメッセージに対応することができない。
【００３８】
ここで、ＣＥＣにおける論理アドレスと物理アドレスについて簡単に説明する。
まず、論理アドレスは、ＨＤＭＩ ＣＥＣにおける規格では、０〜１５まで扱えることになっており、ＨＤＭＩネットワーク内では唯一名となっている。この論理アドレスは外部機器の種類に応じて異なっている。
【００３９】
また、物理アドレスは、ＨＤＭＩネットワーク内では唯一名となっているが、外部機器がＨＤＭＩネットワークに追加されたり、切り離されたりすると自動的に調整される。物理アドレスは、表示装置を含む５階層のアドレスを持ち、同一階層における唯一番号ｎから構成され、ｎ．ｎ．ｎ．ｎ形式で表現される。表示装置に直接接続された外部機器の階層を第１階層とした場合、この第１階層の機器に接続された外部機器が第２階層となり、表示装置から離れるに従って階層番号を増やしていく。そして、上記形式ｎ．ｎ．ｎ．ｎの左端のｎから右に行くに従って階層番号が増えるように表記される。
【００４０】
表示装置にＨＤＭＩ接続された外部機器は、このような論理アドレスと物理アドレスを持つために、たとえ複数台の外部機器が接続されていても、特定の１台を指定してＣＥＣメッセージを送信することが可能となる。
【００４１】
図２は、本発明に係るテレビジョン装置１とリピータ機器とを備えた表示システムの要部構成例を示す図である。本例では、テレビジョン装置１のＨＤＭＩ入力端子が、ＨＤＭＩケーブル１２６を介してＡＶアンプ２のＨＤＭＩ出力端子と接続されている。また、ＡＶアンプ２はＨＤＭＩ入力端子を２つ備え、一方がＨＤＭＩケーブル１２６を介して映像機器３（映像機器＃１）のＨＤＭＩ出力端子と接続され、他方がＨＤＭＩケーブル１２６を介して映像機器４（映像機器＃２）のＨＤＭＩ出力端子と接続されている。なお、本発明のリピータ機器は、本例のＡＶアンプに限らず、リピータ機能を備えたソース機器や、リピータ機能のみを備えたＡＶセレクタなどであってもよい。
【００４２】
ＡＶアンプ２はＣＥＣ対応機器であり、ＣＥＣＩ／Ｆ２０１と映像機器検出部２０２とを備える。映像機器３はＣＥＣ対応機器であり、ＣＥＣＩ／Ｆ３０１と５Ｖ信号出力部３０２とを備え、映像機器４はＣＥＣ非対応機器であり、５Ｖ信号出力部４０１を備える。また、テレビジョン装置１はＣＥＣ対応機器であり、図１に示した構成と同様の構成を備えるものとする。
【００４３】
本発明の主たる特徴部分は、リピータ機器に接続されたＣＥＣ非対応機器に対しても表示装置側から入力切換を行えるようにすることである。このための構成として、ＡＶアンプ２は、ＡＶアンプ２が備えるＨＤＭＩ入力端子に映像機器３，４が接続されたことを検出する映像出力機器検出手段に相当する映像機器検出部２０２と、映像機器検出部２０２による検出結果に基づいてＨＤＭＩ入力端子の接続状態をテレビジョン装置１にＣＥＣメッセージを用いて通知する接続状態通知手段に相当するＣＥＣＩ／Ｆ２０１とを備える。
【００４４】
テレビジョン装置１は、ＣＥＣＩ／Ｆ２０１からの通知に基づいて映像機器３，４が接続されたＨＤＭＩ入力を含むＯＳＤメニューを生成・表示するＯＳＤメニュー生成手段に相当するＯＳＤ信号生成部１０７と、ＯＳＤメニューに対するユーザ選択に応じて映像機器３，４が接続されたＨＤＭＩ入力への切り換えをＡＶアンプ２にＣＥＣメッセージを用いて要求する入力切換要求手段に相当するＣＥＣＩ／Ｆ１２２とを備える。
【００４５】
ＡＶアンプ２の映像機器検出部２０２は、映像機器３，４から出力される５Ｖ信号を検出することにより、ＡＶアンプ２が備えるＨＤＭＩ入力端子に映像機器３，４が接続されていることを認識する。これについて以下に説明する。
【００４６】
ＨＤＭＩ規格に準拠したテレビジョン装置１は、ＥＤＩＤ(Extended Display Identification Data)を内部メモリに持っている。このＥＤＩＤは、テレビジョン装置１と接続される映像機器に、モニタの機種名や設定値（解像度など）を伝えるためのテレビ独自のＩＤであり、ＥＤＩＤのやり取りにはＣＥＣラインとは異なるＨＤＭＩのコントロール信号ライン（Ｉ２Ｃ）が用いられる。
【００４７】
同様に、ＨＤＭＩ規格に準拠したＡＶアンプ２もＥＤＩＤを内部メモリに持っている。このＥＤＩＤにはＡＶアンプ２が出力可能な音声成分についての情報（例えば、ステレオ、５．１ｃｈサラウンドなど）等が含まれる。映像機器３，４は、ＡＶアンプ２とＨＤＭＩ接続された状態で電源がオンされたときなどに、５Ｖ信号出力部３０２，４０１から５Ｖ信号を出力して、ＡＶアンプ２のＥＤＩＤが格納されているメモリにアクセスし、ＡＶアンプ２のＥＤＩＤを取得する。これにより映像機器３，４は、ＡＶアンプ２のＥＤＩＤから取得される音声成分情報に応じた音声信号を出力することができる。なお、上記の５Ｖ信号は、映像機器側からテレビやＡＶアンプの内部メモリに電力を供給するための信号である。
【００４８】
ソース機器である映像機器３，４は、ＣＥＣ対応／非対応に係らず、電源オン時などに、上記の５Ｖ信号を出力して、テレビジョン装置１，ＡＶアンプ２に対してＥＤＩＤを取得する処理を行う。なお、ＥＤＩＤの取得のために、映像機器３，４からテレビジョン装置１に対しても５Ｖ信号が送信されるが、図２の記載では省略している。
【００４９】
本実施形態のＡＶアンプ２は、映像機器検出部２０２が映像機器３，４からの５Ｖ信号を検出することで、映像機器３，４がＨＤＭＩ入力端子に接続されたことを認識すると共に、ＨＤＭＩ入力端子に接続された映像機器がＣＥＣ対応機器であるか否かを判定する。この判定方法について以下に説明する。
【００５０】
通常、ＨＤＭＩ ＣＥＣ対応機器の表示装置は、電源投入時等において、自身のＨＤＭＩコネクタに接続された機器をマッピングするために、<give physical address>というＣＥＣメッセージをブロードキャストで外部機器に送信する。これに対して外部機器は自身の物理アドレスを知らせるための<report physical address>を返信する。そこで、ＡＶアンプに接続された映像機器がＣＥＣ対応か否かの判定に、この<give physical address>を利用することができる。
【００５１】
すなわち、図２に示す例の場合、テレビジョン装置１からブロードキャスト送信されたＣＥＣメッセージ<give physical address>に対して、映像機器３は<report physical address>を返信するためＣＥＣ対応機器として認識されるが、映像機器４は<report physical address>を返信しないため、ＣＥＣ対応機器として認識されない。本実施形態においてＡＶアンプ２は、テレビジョン装置１の<give physical address>に対して映像機器４が<report physical address>を返さないことから、映像機器４がＣＥＣ非対応機器であると判定するものとする。また、ＡＶアンプ２は、映像機器４が接続されているＨＤＭＩ入力端子の位置から映像機器４に割り当てられるべき物理アドレスを特定することができる。
【００５２】
ＡＶアンプ２のＣＥＣＩ／Ｆ２０１は、映像機器がＣＥＣ非対応機器（ここでは映像機器４）である場合、ＨＤＭＩ入力端子に映像機器４が接続されたことを通知すると共に、映像機器４の接続位置を示す物理アドレスを通知するためのＣＥＣメッセージをテレビジョン装置１に送信する。これにより、テレビジョン装置１は、映像機器がＣＥＣ対応か非対応かに係らず、その存在を認識することができ、さらに、ＡＶアンプ２からＣＥＣ非対応機器の物理アドレスを取得することができるため、ＣＥＣ非対応の映像機器の物理アドレスを指定したＣＥＣメッセージを送信し、ＡＶアンプの入力を自動的に切り換えることが可能となる。
【００５３】
また、ＨＤＭＩ入力端子に接続された映像機器がＣＥＣ対応機器であるか否かの判定をテレビジョン装置１で行うこともできる。この場合、ＡＶアンプ２のＣＥＣＩ／Ｆ２０１は、映像機器がＣＥＣ対応／非対応に係らず、ＨＤＭＩ入力端子に映像機器が接続されたことを通知する。本例のテレビジョン装置１では、ＡＶアンプ２からの映像機器４の接続状態の通知と、映像機器４がＣＥＣメッセージ<report physical address>を返さないことから、映像機器４がＣＥＣ非対応機器であることがわかっている。そこで、テレビジョン装置１は、ＡＶアンプ２から映像機器４の接続位置を示す物理アドレスを通知してもらえば、ＣＥＣ非対応の映像機器４の物理アドレスを指定したＣＥＣメッセージを送信し、ＡＶアンプ２の入力を自動的に切り換えることが可能となる。このＡＶアンプ２の物理アドレスの通知タイミングとしては、ＨＤＭＩ入力端子に映像機器４が接続されたことを通知するのと同時でもよいし、テレビジョン装置１からの通知要求に対してＡＶアンプ２が応答することで行ってもよい。
【００５４】
なお、映像機器３はＣＥＣ対応機器であるため、テレビジョン装置１は映像機器３が通知してくる物理アドレスを自動的に認識することができる。このため、テレビジョン装置１は、上記映像機器４の場合のように、ＡＶアンプ２からの物理アドレスの通知を必要とせず、映像機器３の物理アドレスを指定してＡＶアンプ２の入力を切り換えるためのＣＥＣメッセージを送信することができる。
【００５５】
ここで、ＡＶアンプ２は上記ＣＥＣメッセージを用いてテレビジョン装置１にＡＶアンプ２が持つ全ての入力端子について接続状態を通知するようにしてもよい。これによりテレビジョン装置１は、ＡＶアンプ２が持つ未接続の入力端子を含む全てのＨＤＭＩ入力端子について映像機器の接続の有無を把握することができる。
【００５６】
従来のテレビジョン装置は、リピータ機器に接続されたＣＥＣ非対応機器の存在を認識することができないため、当該機器の物理アドレスを取得することができなかった。このため、映像機器の物理アドレスを指定して入力を切り換えるＣＥＣメッセージを送信することができず、リピータ機器の入力切換は直接手動で行うしかなかった。
これに対して、本実施形態の方法により、テレビジョン装置はＡＶアンプに接続されたＣＥＣ非対応の映像機器の存在を認識することが可能となり、このＣＥＣ非対応の映像機器の物理アドレスを指定したＣＥＣメッセージを送信し、ＡＶアンプの入力を自動的に切り換えることが可能となる。
【００５７】
テレビジョン装置１のＣＥＣＩ／Ｆ１２２は、ＡＶアンプ２のＣＥＣＩ／Ｆ２０１から送信されたＣＥＣメッセージを受信・解析し、ＡＶアンプ２のＨＤＭＩ入力端子の接続状態、すなわち、ＨＤＭＩ入力端子に映像機器３，４が接続されていることを認識する。また、ＯＳＤ信号生成部１０７は、ＣＥＣＩ／Ｆ１２２で認識した結果に基づいて映像機器３，４が接続されたＨＤＭＩ入力を含むＯＳＤメニューを生成して表示部１０６に表示する。このＯＳＤメニューには、後述の図６〜図９に示すように、ＣＥＣ非対応機器を含めて表示することができる。さらに、ＣＥＣＩ／Ｆ１２２は、表示部１０６に表示されたＯＳＤメニューに対するユーザ選択に応じて、映像機器３あるいは映像機器４が接続されたＨＤＭＩ入力への切り換えをＡＶアンプ２にＣＥＣメッセージを用いて要求する。ＣＥＣ非対応の映像機器４に送信するＣＥＣメッセージとしては、例えば、メーカ独自に定義可能なベンダコマンドなどを用いることができる。
【００５８】
ＡＶアンプ２のＣＥＣＩ／Ｆ２０１は、テレビジョン装置１のＣＥＣＩ／Ｆ１２２から送信されたＣＥＣメッセージを受信・解析し、図示しない制御部は、このＣＥＣメッセージの物理アドレスで指定された映像機器に入力を切り換える。
【００５９】
図３は、ＡＶアンプ２のＨＤＭＩ入力端子に映像機器が接続された場合の動作例について説明するための図である。なお、図３〜図５では図２の構成に基づいて説明する。
まず、映像機器４がＡＶアンプ２にＨＤＭＩ接続された状態で電源オンされると（Ｓ１）、５Ｖ信号出力部４０１から５Ｖ信号をＡＶアンプ２に出力する（Ｓ２）。ＡＶアンプ２は、映像機器から５Ｖ信号を受信すると、ＨＤＭＩ入力端子に映像機器が接続されたことを検出し、この映像機器がＣＥＣ非対応であるか否かを判定する（Ｓ３）。そして、ＡＶアンプ２は、映像機器がＣＥＣ非対応である場合、テレビジョン装置１に対して、ＨＤＭＩ入力端子に映像機器が接続されたことを通知すると共に、ＣＥＣ非対応の映像機器の物理アドレスを通知するためのＣＥＣメッセージを送信し、一方、映像機器がＣＥＣ対応である場合、テレビジョン装置１に対して、ＨＤＭＩ入力端子に映像機器が接続されたことを通知するＣＥＣメッセージを送信する（Ｓ４）。
【００６０】
なお、前述したように、ＨＤＭＩ入力端子に接続された映像機器がＣＥＣ対応機器であるか否かの判定をテレビジョン装置１で行うようにしてもよい。この場合、上記において、ＡＶアンプ２は、ＨＤＭＩ入力端子に映像機器が接続されたことを検出すると、その映像機器がＣＥＣ非対応であるか否かの判定は行わず、映像機器の接続状態のみをテレビジョン装置１に通知する。
【００６１】
図４は、テレビジョン装置１からＡＶアンプ２に対してＨＤＭＩ入力端子の接続状態を問い合わせる場合の動作例について説明するための図である。
まず、テレビジョン装置１は、ＡＶアンプ２に対して、ＣＥＣメッセージを用いてＨＤＭＩ入力端子の接続状態を通知するように要求する（Ｓ１１）。ＡＶアンプ２は、テレビジョン装置１から接続状態の通知要求を受けて、現在の各ＨＤＭＩ入力端子の接続状態を確認する（Ｓ１２）。ここで、ＡＶアンプ２は映像機器３，４からの５Ｖ信号を検出すると、映像機器３，４が接続された各ＨＤＭＩ入力端子の接続状態を“接続有り”として図示しないメモリに記憶する。そして、テレビジョン装置１から接続状態の通知要求があると、ＡＶアンプ２はメモリの端子接続状態を参照して、現在の各ＨＤＭＩ入力端子の接続状態を確認する。そして、ＡＶアンプ２は、テレビジョン装置１に対して、確認結果に基づいて、映像機器３，４がＨＤＭＩ入力端子に接続されていることをＣＥＣメッセージにより通知する（Ｓ１３）。
【００６２】
図５は、テレビジョン装置１からＡＶアンプ２に対してＨＤＭＩ入力端子の接続状態を問い合わせ、さらにＣＥＣ非対応機器を選択した場合の動作例について説明するための図である。
まず、テレビジョン装置１は、ＡＶアンプ２に対して、ＣＥＣメッセージを用いてＨＤＭＩ入力端子の接続状態を通知するように要求する（Ｓ２１）。ＡＶアンプ２は、テレビジョン装置１から接続状態の通知要求を受けて、現在の各ＨＤＭＩ入力端子の接続状態を確認する（Ｓ２２）。そして、ＡＶアンプ２は、テレビジョン装置１に対して、確認結果に基づいて、映像機器３，４がＨＤＭＩ入力端子に接続されていることをＣＥＣメッセージにより通知する（Ｓ２３）。
【００６３】
次に、テレビジョン装置１は、ＡＶアンプ２から通知に基づいて、ＣＥＣ非対応の映像機器４が接続されたＨＤＭＩ入力を含むＯＳＤメニューを生成・表示し、このＯＳＤメニューに対するユーザ選択（ここではＣＥＣ非対応の映像機器４）に応じて、映像機器４が接続されたＨＤＭＩ入力への切り換えを要求するためのＣＥＣメッセージをＡＶアンプ２へ送信する（Ｓ２４）。
【００６４】
そして、テレビジョン装置１は、テレビの入力をＡＶアンプ２が接続されているＨＤＭＩ入力に変更する（Ｓ２５）。さらに、ＡＶアンプ２は、テレビジョン装置１からのＣＥＣメッセージに従って、ＡＶアンプ２の入力を映像機器４が接続されているＨＤＭＩ入力に変更し（Ｓ２６）、そのＨＤＭＩ入力端子を有効化する（Ｓ２７）。最後に、映像機器４は、テレビジョン装置１に対して、映像・音声を出力する（Ｓ２８）。
【００６５】
図６は、本発明に係る表示システムの接続構成例及びテレビジョン装置１によるＯＳＤメニューの表示例を示す図である。
図６（Ａ）に示すような接続構成とした場合、ＡＶアンプ２の入力Ｂに接続されている映像機器４はＣＥＣ非対応機器であるが、この接続状態がＡＶアンプ２からテレビジョン装置１に通知されるため、テレビジョン装置１は、図６（Ｂ）に示すような入力切換メニュー１０をＯＳＤ表示する。本例の入力切換メニュー１０では、ＡＶアンプ２のＨＤＭＩ入力の中で、ＣＥＣ非対応の映像機器が接続されたＨＤＭＩ入力を識別可能なように表示される。すなわち、入力切換メニュー１０において、テレビジョン装置１の入力３に接続されている映像機器＃１とＡＶアンプ２の入力Ａに接続されている映像機器＃２とはＣＥＣ対応機器であるため、機器名まで表示されるが、ＡＶアンプ２の入力Ｂに接続されている映像機器＃３はＣＥＣ非対応機器であるため、機器名は表示されない。この機器名の表示／非表示によりＣＥＣ対応／非対応の識別が可能となる。
【００６６】
このように、ＡＶアンプ２は、ＡＶアンプ２のＨＤＭＩ入力端子に映像機器３，４が接続されていることを検出して、その接続状態をテレビジョン装置１に通知することができる。テレビジョン装置１は、映像機器３，４が接続されたＨＤＭＩ入力を含む入力切換メニュー１０を生成・表示する。図６の例の場合、ＡＶアンプ２の全ＨＤＭＩ入力端子に映像機器が接続されているため、入力切換メニュー１０には全端子分のＨＤＭＩ入力Ａ，Ｂが表示される。このような構成にすることで、ユーザはＣＥＣ対応／非対応を意識せずに、テレビジョン装置１からＡＶアンプ２の入力切換を行うことができる。
【００６７】
ここで、リピータ機器は、ＨＤＭＩ入力端子に対して、映像機器の接続状態と入力端子数をテレビに通知することができるため、リピータ機器の入力端子数が少ないときには全入力端子をＯＳＤメニューに表示しても特に問題にならないが、入力端子数が多くなってくると、これらを使いこなすために、ユーザが入力端子のどこに何が接続されているかを把握する必要が生じる。
【００６８】
例えば、図７（Ａ）に示すように、ＡＶアンプ２の入力端子数に対して実際に接続されている機器が少ないケースを想定する。ＡＶアンプ２は入力Ａ〜入力Ｇの７つのＨＤＭＩ入力端子を有し、入力ＡにはＣＥＣ対応の映像機器＃２が接続され、入力ＢにはＣＥＣ非対応の映像機器＃３が接続されている。入力端子数をＡＶアンプ２からテレビジョン装置１に通知する場合、テレビジョン装置１は、図７（Ｂ）に示すような入力切換メニュー１０をＯＳＤ表示する。テレビジョン装置１は、ＡＶアンプ２の全入力端子（入力Ａ〜入力Ｇ）を表示するようにすると、ユーザが入力Ａ，Ｂに機器が接続されていることを把握していれば、いずれかの入力を選択することで、ＡＶアンプ２の入力切換を行うことができる。一方で、ユーザが機器の接続状態を把握していない場合には機器が接続されていない入力端子（入力Ｃ〜入力Ｇ）を誤って選択してしまう可能性がある。
【００６９】
このことを改善するために、ＯＳＤメニュー上において、リピータ機器のＨＤＭＩ入力の中で映像機器が接続されていないＨＤＭＩ入力を選択できないようにしてもよい。具体的には、後述の図８，図９に例示するように、入力切換メニュー１０において、ＡＶアンプ２のＨＤＭＩ入力の中で映像機器の接続されたＨＤＭＩ入力のみをユーザ選択可能に表示する。この処理はテレビジョン装置１のＯＳＤ信号生成部１０７により実行される。これにより、ユーザはリピータ機器の未接続のＨＤＭＩ入力を誤って選択することがなく、入力切換操作を確実且つスムーズに行うことができる。
【００７０】
図８は、本発明に係る表示システムの他の接続構成例及びテレビジョン装置１によるＯＳＤメニューの他の表示例を示す図である。
図８（Ａ）に示すような接続構成例において、ＡＶアンプ２は入力Ａ〜入力Ｇの７つのＨＤＭＩ入力端子を有し、入力ＢにはＣＥＣ非対応の映像機器＃２が接続され、入力ＤにはＣＥＣ非対応の映像機器＃３が接続され、入力ＧにはＣＥＣ対応の映像機器＃４が接続され、その他の入力Ａ，Ｃ，Ｅ，Ｆには機器が接続されていない。この接続状態がＡＶアンプ２からテレビジョン装置１に通知され、テレビジョン装置１は、図８（Ｂ）に示すような入力切換メニュー１０をＯＳＤ表示する。
【００７１】
すなわち、テレビジョン装置１は、ＡＶアンプ２のＨＤＭＩ入力（入力Ａ〜Ｇ）の中で、映像機器が接続されたＨＤＭＩ入力（入力Ｂ，Ｄ，Ｇ）以外の他のＨＤＭＩ入力（入力Ａ，Ｃ，Ｅ，Ｆ）を、入力切換メニュー１０に表示させないようにしてもよい。このようにＡＶアンプ２の未接続端子を非表示状態とすることで、ユーザが未接続端子を誤って選択しないようにすることができる。
【００７２】
図９は、本発明に係るテレビジョン装置１によるＯＳＤメニューの他の表示例を示す図である。本例では上述の図８（Ａ）の接続構成例に基づいて説明する。
図９（Ａ）において、入力切換メニュー１０は、ＡＶアンプ２のＨＤＭＩ入力（入力Ａ〜Ｇ）の中で映像機器が接続されたＨＤＭＩ入力（入力Ｂ，Ｄ，Ｇ）以外の他のＨＤＭＩ入力（入力Ａ，Ｃ，Ｅ，Ｆ）を、グレーアウトして選択不可能な状態で表示するようにしてもよい。これにより、ＡＶアンプ２の入力Ａ，Ｃ，Ｅ，Ｆが未接続であることをユーザに通知することができる。
【００７３】
また、図９（Ｂ）において、入力切換メニュー１０は、ＡＶアンプ２から受け取った入力端子名を表示するようにしてもよい。この場合、ＡＶアンプ２のＣＥＣＩ／Ｆ２０１は、映像機器が接続されたＨＤＭＩ入力端子に予め割り当てられた入力端子名をテレビジョン装置１に通知する。テレビジョン装置１のＯＳＤ信号生成部１０７は、映像機器が接続されたＡＶアンプ２のＨＤＭＩ入力として、ＡＶアンプ２から通知された入力端子名を入力切換メニュー１０に表示させる。ここでは映像機器が接続された入力Ｂ，Ｄ，Ｇに対応して入力端子名（DVD Recorder, DVD Player, Blu-ray）が表示される。
【００７４】
このように、入力切換メニュー上で入力端子名を表示することにより、ユーザはＣＥＣ対応／非対応に係らず、どの入力に何が接続されているか容易に把握することができる。なお、ＣＥＣ対応機器が接続された入力Ｇには、“映像機器＃４”が表示されているが、これは論理アドレスに基づいて映像機器から自動的に取得される機器名であり、ＣＥＣ非対応機器からは取得することができない。この機器名はここでいう入力端子名とは異なるものである。
【００７５】
ＡＶアンプ２での入力端子名は、ＡＶアンプ２の入力端子に対して予め割り当てられたものであるため、ユーザがこれらの入力端子名に応じた映像機器をＡＶアンプ２に接続する必要がある。もしＡＶアンプ２に入力端子名と異なる映像機器を接続したい場合、ユーザが映像機器に合わせて入力端子名を変更することで対応することができる。
【００７６】
また、ＯＳＤメニューの他の例として、図９（Ｃ）に示すように、入力切換メニュー１０ではなく、ＨＤＭＩ接続機器一覧１１を表示してもよい。このＨＤＭＩ接続機器一覧１１においては、映像機器＃１が接続されたテレビジョン装置１の入力３に加えて、ＡＶアンプ２のＨＤＭＩ入力（入力Ａ〜Ｇ）の中で映像機器＃２，＃３，＃４が接続されたＨＤＭＩ入力（入力Ｂ，Ｄ，Ｇ）のみを表示させることができる。
【００７７】
以上に説明したように、本発明によれば、リピータ機器が備えるＨＤＭＩ入力端子の接続状態をリピータ機器から表示装置に通知することができるため、リピータ機器に接続されたＣＥＣ非対応機器に対しても表示装置側から入力切換を行うことができる。
さらに、リピータ機器のＨＤＭＩ入力の中で映像出力機器が接続されたＨＤＭＩ入力のみを選択可能としたため、未接続のＨＤＭＩ入力をユーザが誤って選択することがなく、ユーザの入力切換操作の負担を軽減することができる。
【図面の簡単な説明】
【００７８】
【図１】本発明の一実施形態に係る表示装置の構成例を示すブロック図である。
【図２】本発明に係るテレビジョン装置とリピータ機器とを備えた表示システムの要部構成例を示す図である。
【図３】ＡＶアンプのＨＤＭＩ入力端子に映像機器が接続された場合の動作例について説明するための図である。
【図４】テレビジョン装置からＡＶアンプに対してＨＤＭＩ入力端子の接続状態を問い合わせる場合の動作例について説明するための図である。
【図５】テレビジョン装置からＡＶアンプに対してＨＤＭＩ入力端子の接続状態を問い合わせ、さらにＣＥＣ非対応機器を選択した場合の動作例について説明するための図である。
【図６】本発明に係る表示システムの接続構成例及びテレビジョン装置によるＯＳＤメニューの表示例を示す図である。
【図７】表示システムの接続構成例及びテレビジョン装置によるＯＳＤメニューの表示例を示す図である。
【図８】本発明に係る表示システムの他の接続構成例及びテレビジョン装置によるＯＳＤメニューの他の表示例を示す図である。
【図９】本発明に係るテレビジョン装置によるＯＳＤメニューの他の表示例を示す図である。
【図１０】従来の表示システムの接続構成例を示す図である。
【図１１】接続機器の一覧あるいは入力切換などのＯＳＤメニューの表示例を示す図である。
【図１２】ＣＥＣ対応のテレビと外部機器とをＨＤＭＩ接続した状態を示す図である。
【図１３】図１２に示した接続構成において、ＡＶアンプの入力にさらにＣＥＣ非対応の映像機器を接続した状態を示す図である。
【符号の説明】
【００７９】
１，１００…テレビジョン装置、２，２００…ＡＶアンプ、３，４，３００，４００…映像機器、１０…入力切換メニュー、１１…映像機器一覧、１０１…チューナ部、１０２…ＴＶ信号処理部、１０３…合成処理部、１０４…出力処理部、１０５…音声出力部、１０６…表示部、１０７…ＯＳＤ信号生成部、１０８…制御部、１０８ａ…ＣＰＵ、１０８ｂ…ＲＯＭ、１０８ｃ…ＲＡＭ、１０８ｄ…不揮発性メモリ、１０９…操作入力部、１１０…リモコンＩ／Ｆ、１１１…受光部、１１２…リモコン、１１３…通信Ｉ／Ｆ、１１４…インターネット、１１５…ウェブサーバ、１１６…カードＩ／Ｆ、１１７…カードホルダ、１１８…メモリカード、１１９…ＨＤＤ、１２０…ＨＤＭＩレシーバ、１２１…フロントマイコン、１２２，２０１，３０１…ＣＥＣＩ／Ｆ、１２３…ＨＤＭＩコネクタ、１２４…ＴＭＤＳライン、１２５…ＣＥＣライン、１２６…ＨＤＭＩケーブル、２０２…接続状態判定部、３０２，４０１…５Ｖ信号出力部。
【図１】
2009141537.tif 000003
【図２】
2009141537.tif 000004
【図３】
2009141537.tif 000005
【図４】
2009141537.tif 000006
【図５】
2009141537.tif 000007
【図６】
2009141537.tif 000008
【図７】
2009141537.tif 000009
【図８】
2009141537.tif 000010
【図９】
2009141537.tif 000011
【図１０】
2009141537.tif 000012
【図１１】
2009141537.tif 000013
【図１２】
2009141537.tif 000014
【図１３】
2009141537.tif 000015